(57)【要約】【課題】  音の発生を抑制できるようにした浴室換気乾燥暖房機を提供する。【解決手段】  浴室換気乾燥暖房機１Ａは、空気を吸い込んで吹き出す循環換気ファン２Ａと、室内に吹き出される空気が通る第１の吹出口２１Ａ及び第２の吹出口２２Ａと、外部に吹き出される空気が通る換気吹出口２３Ａと、空気の流れに対して交差する軸６０Ａを支点とした回転動作で変位し、循環換気ファン２Ａで吹き出される空気を第１の吹出口２１Ａ及び第２の吹出口２２Ａと換気吹出口２３Ａとに分流する分流ダンパ６Ａとを備え、分流ダンパ６Ａは、第１の吹出口２１Ａと対向する下面６４Ａに、軸６０Ａに沿った方向に広がる空気の流れを規制する流入規制部６６Ａを備える。【選択図】    図１
2019199858.tif 000002
【特許請求の範囲】
【請求項１】
空気を吸い込んで吹き出す送風ファンと、
前記送風ファンで室内に吹き出される空気が通る循環吹出口と、
前記送風ファンで外部に吹き出される空気が通る換気吹出口と、
前記送風ファンで吹き出される空気の流れに対して交差する軸を支点とした回転動作で変位し、前記送風ファンで吹き出される空気を前記循環吹出口と前記換気吹出口とに分流する分流部材とを備え、
前記分流部材は、前記循環吹出口と対向する一の面に、前記送風ファンで吹き出される空気の流れに対する上流側で、前記軸に沿った方向に広がる空気の流れを規制する流入規制部を備えた
送風装置。
【請求項２】
前記送風ファンは、
回転駆動される羽根車と、前記羽根車で生成された空気の流れを整流するケース部を備え、
前記ケース部は、
前記羽根車の円周方向に沿って空気の流れを整流する第１の風路形成部と、前記羽根車の接線方向に沿って空気の流れを整流する第２の風路形成部と、前記第１の風路形成部と前記第２の風路形成部との間に形成される舌部と、前記舌部から前記循環吹出口に合わせて空気が通る風路を広げる風路幅拡大部とを備え、
前記流入規制部は、前記循環吹出口と対向する前記分流部材の前記一の面から突出し、前記軸に沿った方向の幅が、前記送風ファンで吹き出される空気の流れに対する上流側で、前記舌部と前記第２の風路形成部との間の長さに合わせられ、前記送風ファンで吹き出される空気の流れに対する下流側で、前記循環吹出口の幅に合わせられる
請求項１に記載の送風装置。
【請求項３】
前記分流部材は、前記循環吹出口を開閉する吹出口開閉部を備え、
前記吹出口開閉部は、前記一の面が凹状を成し、
前記流入規制部は、前記吹出口開閉部の前記一の面から突出する形状に設けられる
請求項２に記載の送風装置。
【請求項４】
前記吹出口開閉部は、前記一の面のうち、前記流入規制部の非形成部位が、分流された空気を前記循環吹出口にガイドする分流ガイド面を成す
請求項３に記載の送風装置。
【請求項５】
前記分流部材は、前記送風ファンで吹き出される空気の流れに対する上流側から、前記送風ファンで吹き出される空気の流れに対する下流側に向けて、前記流入規制部の幅が狭くなる形状である
請求項２〜請求項４の何れか１項に記載の送風装置。
【請求項６】
空気を吸い込んで吹き出す送風ファンを備え、
前記送風ファンは、
回転駆動される羽根車と、前記羽根車で生成された空気の流れを整流するケース部を備えた遠心ファンで構成され、
前記羽根車は、
多翼の羽根部と、前記羽根部が設けられた羽根支持部とを備え、
前記羽根支持部は、
空気が通る空気流入穴を備え、
前記空気流入穴は、前記羽根車の回転方向に対して下流側の辺部が、空気の流れる方向に対して傾斜する
送風装置。
【請求項７】
前記空気流入穴の前記辺部は、前記羽根車の径方向の内側に対し、径方向の外側が後退する方向に傾斜する
請求項６に記載の送風装置。
【請求項８】
空気を吸い込んで吹き出す送風ファンを備え、
前記送風ファンは、
回転駆動される羽根車と、前記羽根車で生成された空気の流れを整流するケース部を備えた遠心ファンで構成され、
前記羽根車は、
前記羽根車の円周方向に沿って並列される複数枚の羽根を備え、
前記羽根は、入口角が６０°以上８０°以下、出口角が１３０°以上１５０°以下である
送風装置。
【請求項９】
前記羽根の入口角は、前記羽根の内径で規定される第１の仮想円の接線と、内径近傍における前記羽根とのなす角であり、
前記羽根の出口角は、前記羽根の外径で規定される第２の仮想円の接線と、外径近傍における前記羽根とのなす角である
請求項８に記載の送風装置。
【発明の詳細な説明】
【技術分野】
【０００１】
本発明は、浴室等に設置され、室温に応じた空気あるいは温風を室内に吹き出す送風装置に関する。
【背景技術】
【０００２】
従来から、浴室等の天井に設置され、温風あるいは室温に応じた空気を室内に吹き出して、室内の暖房、室内にある被乾燥物の乾燥等の機能を実現した送風装置が提案されている。このような送風装置は、室内の空気を屋外に排気する換気の機能を持つものも多く、浴室換気乾燥暖房機と称されている。
【０００３】
浴室換気乾燥暖房機は、多翼の羽根車を有した遠心ファンを備え、羽根車が回転駆動されることで、所望の空気の流れを発生させている。このような浴室換気乾燥暖房機において、浴室から吸い込んだ空気を浴室に吹き出す風路と、外部に排気する風路に分流する分流ダンパと称す分流部材を備えた技術が提案されている。
【０００４】
このような分流部材を備えた浴室換気乾燥暖房機において、空気の流れを整流する整流部材を分流部材に設けた技術が提案されている（例えば、特許文献１参照）。また、空気の流れを整流する部材をファンケースに設けた技術が提案されている（例えば、特許文献２参照）。
【０００５】
更に、羽根効率の向上のため、羽根車に補助翼を設けた技術が提案されている（例えば、特許文献３参照）。
【先行技術文献】
【特許文献】
【０００６】
【特許文献１】特許第５２６３３５０号公報
【特許文献２】特許第５５３８６２２号公報
【特許文献３】特開２００６−１７０３７号公報
【発明の概要】
【発明が解決しようとする課題】
【０００７】
従来、入浴中等、人が浴室に居る状態で浴室換気乾燥暖房機が駆動されると、動作音が大きいという課題がある。遠心ファンを使用した浴室換気乾燥暖房機では、舌部で狭められた風路が吹出口に向けて広げられる構成となっているが、舌部を通過した空気の流れに乱流が生じ、音の発生源となっている。空気の流れを整流する整流部材を分流部材に設けた構成でも、舌部から広げられた風路に空気が流れ、乱流が発生することを十分に抑制することができなかった。
【０００８】
また、乱流の発生による風量の低下を補うため、羽根車の回転数を上げることでも、音の発生源となっていた。
【０００９】
更に、浴室から吸い込まれる空気はフィルタを通過するが、フィルタで捕捉できない埃等が羽根車に付着する可能性がある。羽根車に埃等が付着すると、通気抵抗が増加し、風量が低下する可能性がある。風量の低下を抑制するためには、羽根車の回転数を上げる必要があり、音の発生源となる。
【００１０】
本発明は、このような課題を解決するためになされたもので、音の発生を抑制できるようにした送風装置を提供することを目的とする。
【課題を解決するための手段】
【００１１】
上述した課題を解決するため、本発明は、空気を吸い込んで吹き出す送風ファンと、送風ファンで室内に吹き出される空気が通る循環吹出口と、送風ファンで外部に吹き出される空気が通る換気吹出口と、送風ファンで吹き出される空気の流れに対して交差する軸を支点とした回転動作で変位し、送風ファンで吹き出される空気を循環吹出口と換気吹出口とに分流する分流部材とを備え、分流部材は、循環吹出口と対向する一の面に、送風ファンで吹き出される空気の流れに対する上流側で、軸に沿った方向に広がる空気の流れを規制する流入規制部を備えた送風装置である。
【００１２】
本発明では、分流部材で循環吹出口に分流される空気が、分流部材の軸に沿った方向に広がることが抑制される。
【００１３】
また、本発明は、空気を吸い込んで吹き出す送風ファンを備え、送風ファンは、回転駆動される羽根車と、羽根車で生成された空気の流れを整流するケース部を備えた遠心ファンで構成され、羽根車は、多翼の羽根部と、羽根部が設けられた羽根支持部とを備え、羽根支持部は、空気が通る空気流入穴を備え、空気流入穴は、羽根車の回転方向に対して下流側の辺部が、空気の流れる方向に対して傾斜する送風装置である。
【００１４】
本発明では、羽根車が回転することで空気流入穴を通る空気が、空気流入穴の辺部に集中して当たることが抑制される。
【００１５】
更に、本発明は、空気を吸い込んで吹き出す送風ファンを備え、送風ファンは、回転駆動される羽根車と、羽根車で生成された空気の流れを整流するケース部を備えた遠心ファンで構成され、羽根車は、羽根車の円周方向に沿って並列される複数枚の羽根を備え、羽根は、入口角が６０°以上８０°以下、出口角が１３０°以上１５０°以下である送風装置である。
【発明の効果】
【００１６】
本発明では、分流部材で分流された空気の流れに乱流が発生することが抑制され、音の発生が抑制される。また、羽根車の回転数を上げることなく、所定の風量を確保することができ、羽根車の回転数を上げることに伴う音の増加を抑制することができる。
【００１７】
更に、空気流入穴の形状により、羽根車が回転することによる通気抵抗の増加が抑制され、音の発生も抑制される。また、羽根車の羽根の形状により、羽根に埃等が付着することが抑制される。そして、空気流入穴の形状、羽根車の羽根の形状によっても、羽根車の回転数を上げることなく、所定の風量を確保することができ、羽根車の回転数を上げることに伴う音の増加を抑制することができる。
【図面の簡単な説明】
【００１８】
【図１】本実施の形態の浴室換気乾燥暖房機の一例を示す構成図である。
【図２】本実施の形態の浴室換気乾燥暖房機の一例を示す構成図である。
【図３】本実施の形態の浴室換気乾燥暖房機の一例を示す構成図である。
【図４Ａ】本実施の形態の浴室換気乾燥暖房機の設置例を示す構成図である。
【図４Ｂ】本実施の形態の浴室換気乾燥暖房機の設置例を示す構成図である。
【図５Ａ】本実施の形態の分流ダンパの一例を示す斜視図である。
【図５Ｂ】本実施の形態の分流ダンパの一例を示す平面図である。
【図５Ｃ】本実施の形態の分流ダンパの一例を示す断面図である。
【図５Ｄ】本実施の形態の分流ダンパの一例を示す断面図である。
【図５Ｅ】本実施の形態の分流ダンパの一例を示す断面図である。
【図５Ｆ】本実施の形態の分流ダンパの一例を示す断面図である。
【図６Ａ】本実施の形態の羽根車の一例を示す平面図である。
【図６Ｂ】本実施の形態の羽根車の一例を示す側断面図である。
【図７】本実施の形態の羽根の形状の詳細例を示す平面図である。
【図８】本実施の形態の浴室換気乾燥暖房機の一例を示す分解斜視図である。
【図９】本実施の形態の浴室換気乾燥暖房機における分流ダンパの動作を示す説明図である。
【図１０】本実施の形態の浴室換気乾燥暖房機における分流ダンパの動作を示す説明図である。
【図１１】本実施の形態の浴室換気乾燥暖房機における分流ダンパの動作を示す説明図である。
【図１２Ａ】本実施の形態の浴室換気乾燥暖房機における浴室内の空気の流れを示す説明図である。
【図１２Ｂ】本実施の形態の浴室換気乾燥暖房機における浴室内の空気の流れを示す説明図である。
【図１３】空気の流れを示す説明図である。
【発明を実施するための形態】
【００１９】
以下、図面を参照して、本発明の送風装置としての浴室換気乾燥暖房機の実施の形態について説明する。
【００２０】
＜本実施の形態の浴室換気乾燥暖房機の構成例＞
図１〜図３は、本実施の形態の浴室換気乾燥暖房機の一例を示す構成図で、図１は、浴室換気乾燥暖房機の内部構成を示す側面図、図２は、浴室換気乾燥暖房機の内部構成を示す平面図である。また、図３はフロントパネルを取り付けた状態の平面図である。更に、図４Ａ、図４Ｂは、本実施の形態の浴室換気乾燥暖房機の設置例を示す構成図である。
【００２１】
本実施の形態の浴室換気乾燥暖房機１Ａの概要を説明すると、浴室換気乾燥暖房機１Ａは、空気を吸い込んで吹き出す循環換気ファン２Ａと、循環換気ファン２Ａが設けられる本体部３Ａと、本体部３Ａに取り付けられるフロントパネル４Ａと、循環換気ファン２Ａで吹き出される空気を加熱するヒータ５Ａを備える。浴室換気乾燥暖房機１Ａは、フロントパネル４Ａを露出させた形態で、本体部３Ａが設置場所である浴室１００の天井に取り付けられる。浴室換気乾燥暖房機１Ａは、フロントパネル４Ａが取り付けられる側が下側となる。
【００２２】
以下に、浴室換気乾燥暖房機１Ａの詳細について説明すると、循環換気ファン２Ａは遠心ファンで構成される送風ファンの一例で、多翼の羽根車２５Ａと、羽根車２５Ａを駆動する循環換気ファンモータ２６Ａと、風路を形成する循環換気ファンケース２７Ａを備える。羽根車２５Ａは、循環換気ファンモータ２６Ａに駆動されて回転することで、羽根車２５Ａの内側から外周側へと遠心方向に吹き出される空気の流れを発生させる。
【００２３】
循環換気ファン２Ａは、循環換気ファンケース２７Ａの下面に、空気が吸い込まれる循環換気吸込口２０Ａを備える。循環換気吸込口２０Ａは、羽根車２５Ａの回転軸に沿った下方に、ベルマウスと称される円形の開口を設けて構成される。循環換気ファンケース２７Ａはケース部の一例で、羽根車２５Ａの外周に沿った略円形の部位で構成される第１の風路形成部２７Ａ１１と、羽根車２５Ａの接線方向に沿った部位で構成される第２の風路形成部２７Ａ１２を備える。そして、第１の風路形成部２７Ａ１１と第２の風路形成部２７Ａ１２との間に舌部２７Ａ１が形成される形状である。
【００２４】
第１の風路形成部２７Ａ１１は、羽根車２５Ａの円周方向に沿って空気の流れを整流する。第２の風路形成部２７Ａ１２は、羽根車２５Ａの接線方向に沿って空気の流れを整流する。これにより、循環換気ファンケース２７Ａは、羽根車２５Ａの遠心方向に吹き出される空気を整流して、羽根車２５Ａの接線方向に沿って吹き出される空気の流れを発生させる。
【００２５】
循環換気ファン２Ａは、浴室換気乾燥暖房機１Ａが浴室１００の天井に設置された状態で、羽根車２５Ａの回転軸の向きが上下方向に沿った配置で構成される。
【００２６】
これにより、循環換気ファン２Ａは、羽根車２５Ａの回転軸に沿った下方の循環換気吸込口２０Ａから吸い込んだ空気を、羽根車２５Ａの接線方向に吹き出す吹出風路２８Ａが、循環換気ファンケース２７Ａにより形成される。
【００２７】
循環換気ファン２Ａは、循環換気ファンケース２７Ａの下面に、ヒータ５Ａを駆動することで加熱された空気、あるいは、ヒータ５Ａを非駆動とすることで浴室１００内の温度に応じた空気が吹き出される第１の吹出口２１Ａを備える。
【００２８】
また、循環換気ファン２Ａは、循環換気ファンケース２７Ａの下面に、浴室１００内を攪拌する空気が吹き出される第２の吹出口２２Ａを備える。更に、循環換気ファン２Ａは、循環換気ファンケース２７Ａの側面に、室外へ空気が吹き出される換気吹出口２３Ａを備える。
【００２９】
第１の吹出口２１Ａは循環吹出口の一例で、第２の風路形成部２７Ａ１２と舌部２７Ａ１との間を通る循環換気ファンケース２７Ａによる空気の吹出方向に沿った辺を短辺、循環換気ファンケース２７Ａによる空気の吹出方向に対して交差する辺を長辺とした略長方形の開口で構成される。
【００３０】
また、第２の吹出口２２Ａは循環吹出口の一例で、循環換気ファンケース２７Ａによる空気の吹出方向に沿った辺を短辺、循環換気ファンケース２７Ａによる空気の吹出方向に対して交差する辺を長辺とした略長方形の開口で構成される。第２の吹出口２２Ａは、吹出風路２８Ａの下面において、第１の吹出口２１Ａに対して循環換気吸込口２０Ａの反対側に設けられる。
【００３１】
本体部３Ａにおいて、循環換気ファンケース２７Ａによる空気の吹出方向に対して交差し、第１の吹出口２１Ａ及び第２の吹出口２２Ａの長辺に沿った方向を幅方向と称す。また、吹出風路２８Ａにおいても、循環換気ファンケース２７Ａによる空気の吹出方向に対して交差し、第１の吹出口２１Ａ及び第２の吹出口２２Ａの長辺に沿った方向を幅方向と称す。
【００３２】
第１の吹出口２１Ａ及び第２の吹出口２２Ａは、長辺の長さが、第２の風路形成部２７Ａ１２と舌部２７Ａ１との間の長さに対して広げられ、本体部３Ａの幅方向の長さに合わせられる。
【００３３】
吹出風路２８Ａは、舌部２７Ａ１が設けられる部位に対し、第１の吹出口２１Ａ及び第２の吹出口２２Ａが設けられる部位に向けて風路の幅が広げられ、第１の吹出口２１Ａの長辺方向の長さに風路の幅を合わせた風路幅拡大部２８０Ａが形成される。
【００３４】
また、吹出風路２８Ａは、換気吹出口２３Ａが設けられる部位で幅が狭められ、換気吹出口２３Ａと連通する換気風路形成枠部２８１Ａが形成される。更に、吹出風路２８Ａは、舌部２７Ａ１が設けられる部位に対し、第１の吹出口２１Ａ及び第２の吹出口２２Ａが設けられる部位に向けて風路の高さが広げられる風路高拡大部２８２Ａが形成される。
【００３５】
第１の吹出口２１Ａと第２の吹出口２２Ａは、循環換気ファンケース２７Ａの下面に取り付けられる風路形成枠体５０Ａで構成される。第１の吹出口２１Ａと第２の吹出口２２Ａは、風路形成枠体５０Ａに設けられる仕切り部材５１Ａにより仕切られ、第１の吹出口２１Ａから吹き出される空気が通る循環空気吹出風路と、第２の吹出口２２Ａから吹き出される空気が通る攪拌空気吹出風路が形成される。
【００３６】
本体部３Ａは、循環換気ファンケース２７Ａを構成する本体シャーシ３０Ａと、本体シャーシ３０Ａを覆う金属ケース３１Ａを備える。本体シャーシ３０Ａは樹脂材料で構成され、金属ケース３１Ａで覆われる循環換気ファンケース２７Ａと、本体部３Ａの下端の周縁から外側に突出するフランジ部３２Ａが、一体で構成される。また、換気風路形成枠部２８１Ａが、換気吹出口２３Ａから吹出風路２８Ａ内に突出する形態で、本体シャーシ３０Ａと一体で形成される。
【００３７】
本体シャーシ３０Ａは、下面に下カバー３３Ａが取り付けられる。循環換気ファン２Ａは、循環換気吸込口２０Ａと風路高拡大部２８２Ａが下カバー３３Ａに設けられる。
【００３８】
金属ケース３１Ａは、循環換気ファン２Ａの換気吹出口２３Ａに対向して開口が設けられ、換気吹出口２３Ａと連通した排気ダクトジョイント３４Ａが側面に取り付けられる。
【００３９】
浴室換気乾燥暖房機１Ａは、本体部３Ａの下面にフロントパネル４Ａが取り付けられる。フロントパネル４Ａは、循環換気ファン２Ａの循環換気吸込口２０Ａに対向した下面を開口して吸込口グリル４０Ａが形成される。
【００４０】
また、フロントパネル４Ａは、循環換気ファン２Ａの第１の吹出口２１Ａに対向した下面を開口して第１の吹出口グリル４１Ａが形成されると共に、第２の吹出口２２Ａに対向した下面を開口して第２の吹出口グリル４２Ａが形成される。
【００４１】
第１の吹出口グリル４１Ａは、本体部３Ａの一の辺に沿った方向である短手方向に沿った長さを長くした長方形の開口で構成される。また、第２の吹出口グリル４２Ａは、第１の吹出口グリル４１Ａと同様に、本体部３Ａの一の辺に沿った方向である短手方向に沿った長さを長くした長方形の開口で構成される。
【００４２】
第１の吹出口グリル４１Ａは、長手方向に沿って空気が吹き出されるように、整流板が設けられる。第２の吹出口グリル４２Ａは、第１の吹出口グリル４１Ａと並列する短手方向に沿って、第１の吹出口グリル４１Ａと反対側である本体部３Ａの外側に向けて空気が吹き出されるように整流板が設けられる。
【００４３】
ヒータ５Ａは加熱部材の一例で、本例ではＰＴＣヒータで構成され、風路形成枠体５０Ａに取り付けられて、第１の吹出口２１Ａに設けられる。ヒータ５Ａが駆動されて通電されると、ヒータ５Ａが加熱されることで第１の吹出口２１Ａを通る空気が加熱され、第１の吹出口２１Ａから温風が吹き出される。第１の吹出口２１Ａと第２の吹出口２２Ａは、仕切り部材５１Ａにより仕切られており、第２の吹出口２２Ａから吹き出される空気は、ヒータ５Ａを通過しない。
【００４４】
浴室換気乾燥暖房機１Ａは、第１の吹出口２１Ａ及び第２の吹出口２２Ａと、換気吹出口２３Ａとの間で空気の流れを分流する分流ダンパ６Ａを備える。分流ダンパ６Ａは分流部材の一例で、図示しないダンパモータの駆動力が伝達され、軸６０Ａを支点に回転して、第１の吹出口２１Ａ及び第２の吹出口２２Ａと、換気吹出口２３Ａとの開閉動作を行う。
【００４５】
分流ダンパ６Ａは、第１の吹出口２１Ａと第２の吹出口２２Ａとを仕切る仕切り部材５１Ａに対して、所定の距離を開けた上側に、回転動作の軸６０Ａが設けられる。循環換気ファン２Ａは、軸６０Ａと仕切り部材５１Ａとの間に形成される隙間で、吹出風路２８Ａと第２の吹出口２２Ａとを連通する第２の吹出口流入部２４Ａが構成される。軸６０Ａは、空気の流れに対して略直交する方向に交差する。
【００４６】
分流ダンパ６Ａは、第１の吹出口２１Ａを開閉する第１の吹出口開閉部６１Ａと、第２の吹出口２２Ａ及び第２の吹出口流入部２４Ａを開閉する第２の吹出口開閉部６２Ａを備える。また、分流ダンパ６Ａは、第２の吹出口開閉部６２Ａの先端側に、第２の吹出口２２Ａの壁面に接して気密を保つ逆流防止部６３Ａを備える。
【００４７】
分流ダンパ６Ａは、空気の流れる方向に対して軸６０Ａから上流側に延在する部位で第１の吹出口開閉部６１Ａが構成される。第１の吹出口開閉部６１Ａは、吹出口開閉部の一例である。また、分流ダンパ６Ａは、空気の流れる方向に対して軸６０Ａから下流側に延在する部位で第２の吹出口開閉部６２Ａが構成される。
【００４８】
分流ダンパ６Ａは、空気の流れを第１の吹出口２１Ａ方向へ分流する第１の吹出口開閉部６１Ａの一の面である下面６４Ａが、空気の流れる方向に沿った凹面で構成される。また、分流ダンパ６Ａは、空気の流れを換気吹出口２３Ａ方向へ分流する第１の吹出口開閉部６１Ａの他の面である上面６５Ａが、下面６４Ａの形状に合わせた凸面で構成される。
【００４９】
分流ダンパ６Ａは、軸６０Ａを支点とした回転動作で、第１の吹出口開閉部６１Ａが第１の吹出口２１Ａを開閉する方向に変位する。また、分流ダンパ６Ａは、軸６０Ａを支点とした回転動作で、第２の吹出口開閉部６２Ａが第２の吹出口２２Ａ及び第２の吹出口流入部２４Ａを開閉する方向に変位する。
【００５０】
分流ダンパ６Ａは、第１の吹出口２１Ａを開き、換気吹出口２３Ａを閉じる方向に変位する動作では、軸６０Ａを支点とした回転動作で、第１の吹出口開閉部６１Ａの先端６１０Ａが上方向に移動する。
【００５１】
分流ダンパ６Ａは、第１の吹出口開閉部６１Ａの先端６１０Ａが上方向の所定の位置まで移動することで、第１の吹出口開閉部６１Ａの先端６１０Ａと、本体シャーシ３０Ａの一の面である循環換気ファンケース２７Ａの上側の内面２７０Ａとの間で所定の気密が保たれる状態となる。第１の吹出口開閉部６１Ａの先端６１０Ａと、循環換気ファンケース２７Ａの上側の内面２７０Ａとの間で所定の気密が保たれる状態にある分流ダンパ６Ａの位置を循環位置と称す。
【００５２】
本例では、図１に実線で示すように、第１の吹出口開閉部６１Ａの先端６１０Ａと循環換気ファンケース２７Ａの上側の内面２７０Ａが接した状態となることで、第１の吹出口開閉部６１Ａの先端６１０Ａと、循環換気ファンケース２７Ａの上側の内面２７０Ａとの間で所定の気密が保たれる。
【００５３】
また、分流ダンパ６Ａは、第１の吹出口２１Ａを閉じ、換気吹出口２３Ａを開く方向に変位する動作では、軸６０Ａを支点とした回転動作で、第１の吹出口開閉部６１Ａの先端６１０Ａが下方向に移動する。
【００５４】
分流ダンパ６Ａは、第１の吹出口開閉部６１Ａの先端６１０Ａが下方向の所定の位置まで移動することで、第１の吹出口開閉部６１Ａの先端６１０Ａと、本体シャーシ３０Ａの他の面を構成する下カバー３３Ａの内面３３０Ａとの間で所定の気密が保たれる状態となる。第１の吹出口開閉部６１Ａの先端６１０Ａと、下カバー３３Ａの内面３３０Ａとの間で所定の気密が保たれる状態にある分流ダンパ６Ａの位置を換気位置と称す。
【００５５】
本例では、図１に一点鎖線で示すように、第１の吹出口開閉部６１Ａの先端６１０Ａと下カバー３３Ａの内面３３０Ａが接した状態となることで、第１の吹出口開閉部６１Ａの先端６１０Ａと、下カバー３３Ａの内面３３０Ａとの間で所定の気密が保たれる。
【００５６】
更に、分流ダンパ６Ａは、第１の吹出口開閉部６１Ａが第１の吹出口２１Ａと換気吹出口２３Ａの両方を開く方向に変位する動作では、軸６０Ａを支点とした回転動作で、図１に破線で示すように、第１の吹出口開閉部６１Ａの先端６１０Ａが循環換気ファンケース２７Ａの上側の内面２７０Ａと下カバー３３Ａの内面３３０Ａとの中間に位置した状態となる。
【００５７】
第１の吹出口開閉部６１Ａの先端６１０Ａが循環換気ファンケース２７Ａの上側の内面２７０Ａと下カバー３３Ａの内面３３０Ａとの中間に位置した状態を、分流ダンパ６Ａの循環換気位置と称す。
【００５８】
分流ダンパ６Ａは、循環位置に移動すると、第１の吹出口開閉部６１Ａが第１の吹出口２１Ａを開く。また、第１の吹出口開閉部６１Ａが吹出風路２８Ａを仕切り、第１の吹出口開閉部６１Ａで換気吹出口２３Ａを閉じる。
【００５９】
更に、分流ダンパ６Ａは、第１の吹出口開閉部６１Ａと第２の吹出口開閉部６２Ａが一体で変位し、循環位置では、第２の吹出口開閉部６２Ａが第２の吹出口流入部２４Ａを閉じることで、吹出風路２８Ａから第２の吹出口２２Ａへの風路が閉じられる。
【００６０】
ここで、換気風路形成枠部２８１Ａは、循環位置にある分流ダンパ６Ａの第１の吹出口開閉部６１Ａと対向する部位が、第１の吹出口開閉部６１Ａの上面６５Ａに沿った形状で開口する。これにより、分流ダンパ６Ａが循環位置に移動すると、換気吹出口２３Ａから第２の吹出口２２Ａへの風路が閉じられる。これにより、第１の吹出口２１Ａが開き、第２の吹出口２２Ａと換気吹出口２３Ａが閉じられて、循環換気吸込口２０Ａから第１の吹出口２１Ａへ連通した循環風路が形成される。
【００６１】
分流ダンパ６Ａは、換気位置に移動すると、第１の吹出口開閉部６１Ａが第１の吹出口２１Ａを閉じる。また、第１の吹出口開閉部６１Ａが吹出風路２８Ａから退避し、第１の吹出口開閉部６１Ａで換気吹出口２３Ａを開く。
【００６２】
更に、分流ダンパ６Ａは、換気位置では、第２の吹出口開閉部６２Ａの逆流防止部６３Ａが第２の吹出口２２Ａの壁面に接して、第２の吹出口開閉部６２Ａが第２の吹出口２２Ａを閉じる。これにより、換気吹出口２３Ａが開き、第１の吹出口２１Ａ及び第２の吹出口２２Ａが閉じられて換気風路が形成される。
【００６３】
これに対し、分流ダンパ６Ａは、循環換気位置に移動すると、第１の吹出口開閉部６１Ａが吹出風路２８Ａの上下方向における中間付近に位置し、第１の吹出口２１Ａと換気吹出口２３Ａの両方を開く。
【００６４】
分流ダンパ６Ａが循環換気位置に移動すると、第１の吹出口開閉部６１Ａの上面６５Ａに沿って、吹出風路２８Ａから換気吹出口２３Ａに連通する換気風路が形成される。また、第２の吹出口開閉部６２Ａが第２の吹出口２２Ａを開くことで、第１の吹出口開閉部６１Ａの上面６５Ａに沿って、吹出風路２８Ａから第２の吹出口２２Ａに連通する循環風路が形成される。
【００６５】
更に、分流ダンパ６Ａが循環換気位置に移動すると、第２の吹出口開閉部６２Ａが第２の吹出口流入部２４Ａを開き、第１の吹出口開閉部６１Ａの下面６４Ａに沿って、吹出風路２８Ａから第１の吹出口２１Ａと第２の吹出口２２Ａの両方に連通する循環風路が形成される。これにより、第１の吹出口２１Ａ及び第２の吹出口２２Ａと、換気吹出口２３Ａの双方が開き、循環風路と換気風路の双方が形成される。
【００６６】
従って、浴室換気乾燥暖房機１Ａでは、１つの循環換気ファン２Ａで、浴室１００内の空気を吸い込み、吸い込んだ空気を浴室１００内に吹き出す動作、吸い込んだ空気を室外に排気する動作、吸い込んだ空気の一部を浴室１００内に吹き出し、残部を室外に排気する動作が行われる。
【００６７】
また、浴室換気乾燥暖房機１Ａでは、１つの分流ダンパ６Ａで、第１の吹出口２１Ａ及び第２の吹出口２２Ａと、換気吹出口２３Ａの開閉動作が行われる。
【００６８】
図５Ａは、本実施の形態の分流ダンパの一例を示す斜視図、図５Ｂは、本実施の形態の分流ダンパの一例を示す平面図、図５Ｃ、図５Ｄ、図５Ｅ及び図５Ｆは、本実施の形態の分流ダンパの一例を示す断面図である。ここで、図５Ｃは、図５Ｂに示す分流ダンパのＡ−Ａ断面図、図５Ｄは、図５Ｂに示す分流ダンパのＢ−Ｂ断面図、図５Ｅは、図５Ｂに示す分流ダンパのＣ−Ｃ断面図、図５Ｆは、図５Ｂに示す分流ダンパのＤ−Ｄ断面図である。
【００６９】
分流ダンパ６Ａは、風路幅拡大部２８０Ａでの空気の流れを規制する流入規制部６６Ａを備える。流入規制部６６Ａは、第１の吹出口開閉部６１Ａの下面６４Ａに設けられる。第１の吹出口開閉部６１Ａの下面６４Ａは凹状であり、流入規制部６６Ａは、この凹状の面から突出する形状で略平坦状に構成される。
【００７０】
分流ダンパ６Ａは、第１の吹出口開閉部６１Ａにおいて、流入規制部６６Ａが設けられていない非形成部位の下面６４Ａで、第１の吹出口２１Ａに分流された空気をガイドする分流ガイド面６７Ａが構成される。
【００７１】
分流ダンパ６Ａは、分流ガイド面６７Ａの幅ＬＢが、第１の吹出口開閉部６１Ａの先端６１０Ａ側では、舌部２７Ａ１と第２の風路形成部２７Ａ１２との間の長さと同等程度の幅、軸６０Ａの側では、第１の吹出口２１Ａと同等程度の幅となるように構成される。
【００７２】
このため、流入規制部６６Ａは、第１の吹出口開閉部６１Ａの先端６１０Ａから、軸６０Ａの側に向けて、流入規制部６６Ａの幅ＬＣが狭くなる形状で構成され、空気の流れに対して上流側となる第１の吹出口開閉部６１Ａの先端６１０Ａ側では、軸６０Ａに沿った方向に広がる空気の流れを規制する。
【００７３】
図６Ａは、本実施の形態の羽根車の一例を示す平面図、図６Ｂは、本実施の形態の羽根車の一例を示す側断面図である。羽根車２５Ａは、多翼の羽根部２５０Ａと、羽根部２５０Ａが設けられた羽根支持部２５１Ａを備える。羽根部２５０Ａは、羽根車２５Ａの回転軸方向に沿って所定の高さを有すると共に、羽根車２５Ａの径方向に沿って所定の幅を有し、矢印Ｆで示す羽根車２５Ａの回転方向に対して前向きに傾斜した複数枚の羽根２５２Ａが設けられる。
【００７４】
羽根部２５０Ａは、複数枚の羽根２５２Ａが、羽根車２５Ａの回転軸方向に沿って羽根支持部２５１Ａの一の側に立設された形態で、羽根支持部２５１Ａの外周に沿って円周方向に並列されて構成される。
【００７５】
羽根支持部２５１Ａは、図１に示す循環換気ファンモータ２６Ａを覆うモータケース２６０Ａが入る凸状に構成される。羽根支持部２５１Ａは、空気が通る空気流入穴２５３Ａを備える。
【００７６】
空気流入穴２５３Ａは、羽根支持部２５１Ａを貫通する複数の開口を、羽根車２５Ａの円周方向に並列して構成される。空気流入穴２５３Ａは、矢印Ｆで示す羽根車２５Ａの回転方向に対して下流側の辺部２５４Ａが、空気の流れる方向に対して所定の方向に傾斜する。空気流入穴２５３Ａの辺部２５４Ａは、本例では、径方向の内側に対し、径方向の外側が後退する方向に傾斜する。空気流入穴２５３Ａは、羽根車２５Ａの回転方向に対して上流側の辺部２５５Ａも同様に、径方向の内側より外側が後退する方向に傾斜する。
【００７７】
羽根支持部２５１Ａにおいては、空気流入穴２５３Ａの辺部２５４Ａが、羽根車２５Ａの回転方向に対して上流側の辺部となり、隣設する空気流入穴２５３Ａの辺部２５５Ａが、羽根車２５Ａの回転方向に対して下流側の辺部となる。
【００７８】
これにより、羽根車２５Ａは、羽根支持部２５１Ａも、径方向の内側より外側が後退する方向に傾斜し、かつ、羽根車２５Ａの回転方向に対して上流側の辺部と下流側の辺部が略平行に延在するので、循環換気ファンモータ２６Ａの冷却に必要な開口面積が確保される。
【００７９】
図７は、本実施の形態の羽根の形状の詳細例を示す平面図である。羽根２５２Ａの形状を特定するにあたり、羽根２５２Ａの入口角をβ１、羽根２５２Ａの出口角をβ２、羽根２５２Ａの内径をＤ１、羽根２５２Ａの外径をＤ２と称す。また、羽根２５２Ａの中心線ＯＬからの傾き角をθ、羽根２５２Ａの長さをＬ、羽根２５２Ａの厚さをｔと称す。
【００８０】
羽根２５２Ａの入口角β１は、羽根２５２Ａの内径Ｄ１で規定される第１の仮想円Ｃ１の接線Ｃ１１と、内径近傍における羽根２５２Ａとのなす角である。羽根２５２Ａの出口角β２は、羽根２５２Ａの外径Ｄ２で規定される第２の仮想円Ｃ２の接線Ｃ１２と、外径近傍における羽根２５２Ａとのなす角である。
【００８１】
羽根２５２Ａは、入口角β１が６０°以上８０°以下、出口角β２が１３０°以上１５０°以下であることが好ましい。なお、浴室換気乾燥暖房機１Ａにおいて想定される羽根２５２Ａの外径Ｄ２は１５０ｍｍ以上２００ｍｍ以下程度、羽根２５２Ａの長さＬは１０ｍｍ以上２０ｍｍ以下程度、羽根２５２Ａの厚さｔは１ｍｍ以上２ｍｍ以下程度である。また、羽根２５２Ａの傾き角θは、−５°以上３０°以下であることが好ましい。
【００８２】
図８は、本実施の形態の浴室換気乾燥暖房機の一例を示す分解斜視図である。浴室換気乾燥暖房機１Ａは、外部からの図示しない電源線等が接続される端子台８Ａを備える。端子台８Ａは、端子台支持部８０Ａの一方の端部に設けられ、端子台支持部８０Ａの他方の端部が、軸８１Ａにより本体部３Ａに回転可能に支持される。
【００８３】
端子台８Ａは、端子台支持部８０Ａに把持部８２Ａが設けられ、本体部３Ａの一方の側からの操作で、端子台８Ａの向きを、本体部３Ａの他方の側から一方の側へ変えることができる。これにより、本体部３Ａの設置後に、端子台８Ａの向きを変える操作が容易に行える。
【００８４】
浴室換気乾燥暖房機１Ａは、端子台８Ａ及び端子台支持部８０Ａを覆う端子台カバー８３Ａを備える、端子台カバー８３Ａは金属ケース３１Ａの上面に取り付けられ、金属で構成される。端子台カバー８３Ａは、端子台支持部８０Ａの軸８１Ａと対向する位置が、図示しない封止部材で封止され、水分等の侵入が抑制される。
【００８５】
浴室換気乾燥暖房機１Ａは、循環換気ファンモータ２６Ａの駆動部が実装された基板９Ａと、基板９Ａの周囲を覆う基板カバー９０Ａと、基板９Ａの下面を覆う基板シャーシ９１Ａを備える。基板９Ａは、基板シャーシ９１Ａを介して本体シャーシ３０Ａに取り付けられる。基板シャーシ９１Ａは、金属で構成される。
【００８６】
基板カバー９０Ａは、難燃性の樹脂で構成され、基板９Ａの側部を覆う形状を有する。基板カバー９０Ａは、外周に沿って図示しない配線を保持、誘導する配線ガイド９２Ａを備える。また、基板カバー９０Ａは、端子台支持部８０Ａの軸８１Ａの周囲を覆う壁部９３Ａを備える。端子台８Ａは、軸８１Ａを支点に端子台支持部８０Ａが回転可能な構造であり、端子台支持部８０Ａの回転を許容するための開口を金属ケース３１Ａに設ける必要がある。そこで、端子台支持部８０Ａの軸８１Ａの周囲を覆う壁部９３Ａを基板カバー９０Ａに備えることで、金属ケース３１Ａの内部への水分、埃等の侵入が抑制される。
【００８７】
＜本実施の形態の浴室換気乾燥暖房機の設置例＞
次に、各図を参照して、本実施の形態の浴室換気乾燥暖房機１Ａの設置例について説明する。
【００８８】
浴室換気乾燥暖房機１Ａは、図４Ａ、図４Ｂに示すように、浴室１００の天井パネル１０１に設置される。浴室１００の天井パネル１０１には、浴室換気乾燥暖房機１Ａの本体部３Ａが取り付けられる開口部が形成され、浴室換気乾燥暖房機１Ａは、例えば、フランジ部３２Ａが図示しないネジで天井裏に設けられた補強部材に固定される形態で、天井パネル１０１に取り付けられる。
【００８９】
そして、浴室換気乾燥暖房機１Ａは、本体部３Ａの下面にフロントパネル４Ａが取り付けられ、フロントパネル４Ａの吸込口グリル４０Ａと、第１の吹出口グリル４１Ａ及び第２の吹出口グリル４２Ａが、浴室１００内に面して配置される。
【００９０】
浴室１００の天井パネル１０１に設置された浴室換気乾燥暖房機１Ａは、本体部３Ａの排気ダクトジョイント３４Ａに排気ダクト１０２が取り付けられる。排気ダクト１０２は、浴室１００が設置される図示しない建物の外壁に取り付けられる屋外グリル１０２ａと接続され、浴室換気乾燥暖房機１Ａは、排気ダクト１０２を介して屋外とつながっている。
【００９１】
浴室１００は、浴槽１０３と洗い場１０４を備える。浴槽１０３は一般的に長方形であり、浴槽１０３と洗い場１０４は、浴槽１０３の短手方向に沿って並んでいる。
【００９２】
浴室１００は、浴槽１０３の上部に物干し部材であるランドリパイプ１０５を備える。ランドリパイプ１０５は、浴槽１０３の長手方向に沿って延び、浴室１００の対向する壁面１０６ａ，１０６ｂ間に取り付けられる。
【００９３】
なお、浴室１００に設置されるランドリパイプ１０５の本数は、１本または２本程度であり、本例では、１本のランドリパイプ１０５が配置された例を示す。また、物干し部材は、洗濯物等の被乾燥物が乾燥できるようになっていれば、パイプ状の部材に限らず、紐状であっても良く、他のものであっても良い。
【００９４】
浴室換気乾燥暖房機１Ａは、第１の吹出口グリル４１Ａ及び第２の吹出口グリル４２Ａの長手方向の向きが、ランドリパイプ１０５の長手方向に対して直交する向きで、浴槽１０３の上部に設置される。
【００９５】
これにより、浴室換気乾燥暖房機１Ａでは、第１の吹出口グリル４１Ａから吹き出される空気は、主にランドリパイプ１０５と直交する方向に広がる。これに対して、第２の吹出口グリル４２Ａから吹き出される空気は、第２の吹出口グリル４２Ａが設けられる側の浴室１００の壁面１０６ａに向けられる。
【００９６】
＜本実施の形態の浴室換気乾燥暖房機の動作例＞
図９〜図１１は、本実施の形態の浴室換気乾燥暖房機における分流ダンパの動作を示す説明図、図１２Ａ、図１２Ｂは、本実施の形態の浴室換気乾燥暖房機における浴室内の空気の流れを示す説明図で、次に、各図を参照して、本実施の形態の浴室換気乾燥暖房機１Ａの動作例について説明する。
【００９７】
浴室換気乾燥暖房機１Ａは、暖房運転モードでは、分流ダンパ６Ａを図９に示す循環位置にして、ヒータ５Ａに通電すると共に、循環換気ファンモータ２６Ａを駆動して羽根車２５Ａを回転させる。
【００９８】
浴室換気乾燥暖房機１Ａでは、羽根車２５Ａが回転することで、フロントパネル４Ａの吸込口グリル４０Ａから、浴室１００内の空気が循環換気吸込口２０Ａに吸い込まれる。
【００９９】
暖房運転モードでは、分流ダンパ６Ａが循環位置にあるので、循環換気吸込口２０Ａから吸い込まれた浴室１００の空気の略全量が、第１の吹出口２１Ａへと流れる。暖房運転モードでは、第１の吹出口２１Ａに流れる空気は、ヒータ５Ａによって加熱されることで、フロントパネル４Ａの第１の吹出口グリル４１Ａから温風が吹き出される。
【０１００】
暖房運転モードでは、分流ダンパ６Ａが循環位置にあるので、浴室１００内の空気は換気されない。これにより、暖房運転モードでは、第１の吹出口グリル４１Ａから温風を吹き出しながら、浴室１００内の空気が循環されることで、浴室１００内の温度を入浴に適した温度に上昇させることができる。
【０１０１】
また、分流ダンパ６Ａが循環位置にあると、換気吹出口２３Ａに加えて第２の吹出口流入部２４Ａが塞がれるので、第２の吹出口２２Ａからヒータ５Ａを通らない空気が吹き出されない。これにより、入浴中に実行される暖房運転モードであっても、ヒータ５Ａで暖められていない空気が吹き出されることがなく、入浴者が寒さを感じることが無い。
【０１０２】
更に、分流ダンパ６Ａが循環位置にあると、換気吹出口２３Ａに連通した換気風路形成枠部２８１Ａが分流ダンパ６Ａで塞がれるので、外気が第２の吹出口２２Ａから浴室１００内に逆流することを防ぐことができる。
【０１０３】
図１３は、空気の流れを示す説明図で、次に、本実施の形態の分流ダンパ６Ａの作用効果について説明する。分流ダンパ６Ａが循環位置に移動すると、第１の吹出口開閉部６１Ａの下面６４Ａが循環風路に対向する。分流ダンパ６Ａは、第１の吹出口開閉部６１Ａの下面６４Ａに設けられる分流ガイド面６７Ａが、空気の流れる方向に沿った凹状の面で構成され、流入規制部６６Ａが、分流ガイド面６７Ａから循環風路側に突出する形状で構成される。
【０１０４】
流入規制部６６Ａは、第１の吹出口開閉部６１Ａの先端６１０Ａから、軸６０Ａの側に向けて、流入規制部６６Ａの幅が狭くなる形状で構成され、分流ガイド面６７Ａの幅が、第１の吹出口開閉部６１Ａの先端６１０Ａ側では、舌部２７Ａ１と第２の風路形成部２７Ａ１２との間の長さと同等程度の幅、軸６０Ａの側では、第１の吹出口２１Ａと同等程度の幅となるように構成される。
【０１０５】
これにより、第２の風路形成部２７Ａ１２と舌部２７Ａ１との間を通る図１３に矢印Ｗ１で示す空気の流れが、分流ガイド面６７Ａで広げられ、矢印Ｗ２Ｌ、矢印Ｗ２Ｒで示すように、第１の吹出口２１Ａの幅方向の全体にわたり空気が通り、通気抵抗の増加が抑制される。また、風路幅拡大部２８０Ａの容積が流入規制部６６Ａにより減少し、第１の吹出口２１Ａが設けられている部位以外の風路幅拡大部２８０Ａでは空気が流れにくくなるので、第２の風路形成部２７Ａ１２と舌部２７Ａ１との間を通る空気が、図１３に破線の矢印Ｗ３で示すように、風路幅拡大部２８０Ａで乱流となることが流入規制部６６Ａで抑制される。更に、第２の風路形成部２７Ａ１２と舌部２７Ａ１との間を通る空気の流れが、風路高拡大部２８２Ａでも広げられ、通気抵抗の増加が抑制される。
【０１０６】
従って、循環換気ファンモータ２６Ａの回転数を上げることなく、所定の風量を確保することができ、循環換気ファンモータ２６Ａの回転数を上げることに伴う音の増加を抑制することができる。流入規制部６６Ａを備えていない従来の分流ダンパを備えた構成と比較して、音量を０．２ｄＢ〜０．３ｄＢ程度低減できる。
【０１０７】
浴室換気乾燥暖房機１Ａの他の運転モードについて説明すると、浴室換気乾燥暖房機１Ａは、換気運転モードでは、分流ダンパ６Ａを図１０に示す換気位置にし、ヒータ５Ａを非駆動として、循環換気ファンモータ２６Ａを駆動して羽根車２５Ａを回転させる。
【０１０８】
浴室換気乾燥暖房機１Ａでは、羽根車２５Ａが回転することで、フロントパネル４Ａの吸込口グリル４０Ａから、浴室１００内の空気が循環換気吸込口２０Ａに吸い込まれる。
【０１０９】
換気運転モードでは、分流ダンパ６Ａが換気位置にあるので、第１の吹出口２１Ａと第２の吹出口２２Ａが塞がれ、循環換気吸込口２０Ａから吸い込まれた浴室１００の空気の略全量が換気吹出口２３Ａへと流れ、屋外へ排気される。従って、換気運転モードでは、浴室１００内の湯気や湿気を排出して結露等を抑制し、カビの発生を抑えることができる。
【０１１０】
浴室換気乾燥暖房機１Ａは、乾燥運転モードでは、分流ダンパ６Ａを図１１に示す循環換気位置にし、循環換気ファンモータ２６Ａを駆動して羽根車２５Ａを回転させると共に、ヒータ５Ａに通電する。
【０１１１】
浴室換気乾燥暖房機１Ａでは、羽根車２５Ａが回転すると、フロントパネル４Ａの吸込口グリル４０Ａから、浴室１００内の空気が循環換気吸込口２０Ａに吸い込まれる。
【０１１２】
乾燥運転モードでは、分流ダンパ６Ａが循環換気位置にあるので、吹出風路２８Ａでは、循環換気吸込口２０Ａから第１の吹出口２１Ａ及び第２の吹出口２２Ａへ連通した循環風路と、循環換気吸込口２０Ａから換気吹出口２３Ａへ連通した換気風路の双方が形成されている。
【０１１３】
これにより、羽根車２５Ａが回転することで循環換気吸込口２０Ａから吸い込まれた浴室１００の空気ＲＡの一部は、第１の吹出口２１Ａ及び第２の吹出口２２Ａへと流れる。また、循環換気吸込口２０Ａから吸い込まれた浴室１００の空気の残部は、換気吹出口２３Ａへと流れ、排気ダクト１０２を通り屋外グリル１０２ａから排気ＥＡとして屋外へ排気される。
【０１１４】
乾燥運転モードでは、第１の吹出口２１Ａに流れる空気は、ヒータ５Ａによって加熱されることで、フロントパネル４Ａの第１の吹出口グリル４１Ａから温風ＨＡが吹き出される。第２の吹出口２２Ａに流れる空気は、ヒータ５Ａを通らないので、フロントパネル４Ａの第２の吹出口グリル４２Ａから、室温に応じた空気Ａが吹き出される。
【０１１５】
浴室換気乾燥暖房機１Ａでは、第１の吹出口グリル４１Ａから吹き出される空気は、ランドリパイプ１０５の長手方向及びランドリパイプ１０５と直交する方向に広がる。
【０１１６】
但し、浴室換気乾燥暖房機１Ａは、第１の吹出口グリル４１Ａの長手方向がランドリパイプ１０５と直交する向きに配置されるので、第１の吹出口グリル４１Ａから吹き出される空気は、主にランドリパイプ１０５に直交する方向に広がる。
【０１１７】
このため、第１の吹出口グリル４１Ａの直下近傍のランドリパイプ１０５に掛けられた衣類等の被乾燥物に対しては、幅方向の全体に温風が当てられる。これに対して、第１の吹出口グリル４１Ａの直下から離れた位置のランドリパイプ１０５に掛けられた被乾燥物に対しては、第１の吹出口グリル４１Ａから吹き出される温風が直接は当たりにくい。
【０１１８】
浴室換気乾燥暖房機１Ａでは、第２の吹出口グリル４２Ａから吹き出される空気Ａは、第１の吹出口グリル４１Ａに対して第２の吹出口グリル４２Ａが設けられる側の浴室１００の壁面１０６ａに向けられる。
【０１１９】
これにより、図１２Ａに示すように、乾燥モードで第２の吹出口グリル４２Ａから吹き出される空気Ａは、浴室１００の一方の壁面１０６ａに当てられ、矢印Ａ１に示すように壁面１０６ａに沿って下方に流れる。壁面１０６ａに沿って下方に流れる空気は、矢印Ａ２に示すように、浴室１００の下層付近を、主に他方の壁面１０６ｂに向かって流れる。
【０１２０】
浴室換気乾燥暖房機１Ａでは、吸込口グリル４０Ａから吸い込まれる空気ＲＡによって、浴室１００内で空気を循環させる流れを生じさせているので、浴室１００の下層付近を他方の壁面１０６ｂに向かって流れる空気は、矢印Ａ３に示すように壁面１０６ｂに沿って上方に流れ、吸込口グリル４０Ａから吸い込まれる。
【０１２１】
このように、浴室換気乾燥暖房機１Ａでは、第２の吹出口グリル４２Ａから吹き出される空気によって、浴室１００の一方の壁面１０６ａに沿って下方に向かい、浴室１００の下層付近を他方の壁面１０６ｂに向かい、他方の壁面１０６ｂに沿って上方に向かう空気の流れを発生させることができる。
【０１２２】
乾燥運転モードで浴室換気乾燥暖房機１Ａの第１の吹出口グリル４１Ａから吹き出される空気は、ヒータ５Ａで加熱された温風で、相対湿度が下げられているので、第２の吹出口グリル４２Ａから吹き出される空気に比べ軽い。
【０１２３】
このため、第１の吹出口グリル４１Ａから吹き出される空気に比べ重い第２の吹出口グリル４２Ａから吹き出される空気は、浴室１００の下層まで流れ、浴室１００内の全体に、空気を攪拌する風の流れを生じさせることができる。
【０１２４】
これにより、第１の吹出口グリル４１Ａから吹き出される温風が、直接は当たりにくい第１の吹出口グリル４１Ａの直下から離れた位置のランドリパイプ１０５に掛けられた被乾燥物付近にも、空気の流れを生じさせることができる。
【０１２５】
また、分流ダンパ６Ａが循環換気位置に移動すると、第２の吹出口開閉部６２Ａが第２の吹出口２２Ａを開くことで、第１の吹出口開閉部６１Ａの上面６５Ａに沿って、吹出風路２８Ａから第２の吹出口２２Ａに連通する循環風路が形成される。
【０１２６】
更に、分流ダンパ６Ａが循環換気位置に移動すると、第２の吹出口開閉部６２Ａが第２の吹出口流入部２４Ａを開くことで、第１の吹出口開閉部６１Ａの下面６４Ａに沿って、吹出風路２８Ａから第１の吹出口２１Ａと第２の吹出口２２Ａの両方に連通する循環風路が形成される。
【０１２７】
これにより、第２の吹出口２２Ａから、分流ダンパ６Ａの第１の吹出口開閉部６１Ａの上面６５Ａに沿って流れる空気と、下面６４Ａに沿って流れる空気が吹き出され、風速を上げることができる。
【０１２８】
更に、分流ダンパ６Ａが循環換気位置に移動した場合も、第２の風路形成部２７Ａ１２と舌部２７Ａ１との間を通る空気の流れが、分流ガイド面６７Ａで広げられ、第１の吹出口２１Ａの幅方向の全体にわたり空気が通り、通気抵抗の増加が抑制される。また、第２の風路形成部２７Ａ１２と舌部２７Ａ１との間を通る空気が、風路幅拡大部２８０Ａで乱流となることが流入規制部６６Ａで抑制される。
【０１２９】
従って、第２の吹出口２２Ａから吹き出される空気についても、循環換気ファンモータ２６Ａの回転数を上げることなく、所定の風量、風速を確保することができ、循環換気ファンモータ２６Ａの回転数を上げることに伴う音の増加を抑制することができる。
【０１３０】
浴室換気乾燥暖房機１Ａは、循環換気運転モードでは、分流ダンパ６Ａを図１１に示す循環換気位置にし、ヒータ５Ａを非駆動として、循環換気ファンモータ２６Ａを駆動して羽根車２５Ａを回転させる。ここで、上述した乾燥運転モードと循環換気運転モードでは、循環換気運転モードの方が、屋外へ排気される風量である換気風量が多くなるように、分流ダンパ６Ａの開度を換気吹出口２３Ａの開度が広くなる位置に変更しても良い。
【０１３１】
浴室換気乾燥暖房機１Ａでは、羽根車２５Ａが回転することで、フロントパネル４Ａの吸込口グリル４０Ａから、浴室１００内の空気が循環換気吸込口２０Ａに吸い込まれる。
【０１３２】
循環換気運転モードでは、分流ダンパ６Ａが循環換気位置にあるので、循環換気吸込口２０Ａから吸い込まれた浴室１００の空気の一部は、第１の吹出口２１Ａ及び第２の吹出口２２Ａへと流れる。また、循環換気吸込口２０Ａから吸い込まれた浴室１００の空気の残部は、換気吹出口２３Ａへと流れ、屋外へ排気される。
【０１３３】
循環換気運転モードでは、第１の吹出口２１Ａに流れる空気は、ヒータ５Ａが非駆動であるので、フロントパネル４Ａの第１の吹出口グリル４１Ａから、室温に応じた空気ＣＡが吹き出される。第２の吹出口２２Ａに流れる空気は、ヒータ５Ａを通らないので、フロントパネル４Ａの第２の吹出口グリル４２Ａから、室温に応じた空気Ａが吹き出される。
【０１３４】
浴室換気乾燥暖房機１Ａでは、図１２Ｂに示すように、循環換気運転モードでも、第２の吹出口グリル４２Ａから吹き出される空気によって、浴室１００の一方の壁面１０６ａに沿って下方に向かい、浴室１００の下層付近を他方の壁面１０６ｂに向かい、他方の壁面１０６ｂに沿って上方に向かう空気の流れを発生させることができる。
【０１３５】
これにより、循環換気運転モードでも、浴室１００内の全体に、空気を攪拌する風の流れを生じさせることができ、浴室１００内で、第１の吹出口グリル４１Ａから吹き出される空気が直接は当たりにくいような場所でも、空気の流れを生じさせることができる。
【０１３６】
従って、浴室１００の各壁面、床面等の乾燥時間を短縮することができる。また、浴室１００内の空気の一部は屋外に排気されて換気が行われるので、湿気等を排出して、浴室１００の各壁面、床面等の乾燥を促進することができる。
【０１３７】
なお、第２の吹出口２２Ａ方向に流れる空気の一部を、フロントパネル４Ａの内面に流せる構成としても良く、このような構成とすることで、フロントパネル４Ａの内面で発生する結露水等の滞留を抑制することができる。
【０１３８】
次に、本実施の形態の羽根車２５Ａの作用効果について説明する。羽根車２５Ａは、羽根支持部２５１Ａが、循環換気ファンモータ２６Ａを覆うモータケース２６０Ａが入る凹状に構成され、羽根支持部２５１Ａの外周に沿って、羽根２５２Ａが立設された形態で設けられる。
【０１３９】
このように、羽根支持部２５１Ａで支持される羽根２５２Ａの上側の部分の内側に羽根支持部２５１Ａが位置するため、羽根２５２Ａの上側の部分に空気が流れにくく、羽根支持部２５１Ａに空気が通ることが可能な空気流入穴が設けられていない構成では、羽根２５２Ａの高さ方向の全体にわたり空気が通らず、通気抵抗が増加する。
【０１４０】
これに対し、羽根支持部２５１Ａに空気が通ることが可能な空気流入穴を設けることで、羽根２５２Ａの高さ方向の全体にわたり空気が通るようになり、通気抵抗が減少する。但し、羽根車の回転方向に対して、空気流入穴の下流側の辺部が、空気の流れる方向に対して略直交する従来の構成では、空気流入穴の下流側の辺部に集中して空気が当たることで通気抵抗が大きくなる。また、通気抵抗が大きくなることで、所謂風切音、脈動音が派生する。
【０１４１】
そこで、本実施の形態の羽根車２５Ａは、図６Ａに示すように、矢印Ｆで示す羽根車２５Ａの回転方向に対して、空気流入穴２５３Ａの下流側の辺部２５４Ａが、空気の流れる方向に対して所定の方向に傾斜する。本例では、径方向の内側に対し、径方向の外側が後退する方向に傾斜する。これにより、羽根車２５Ａが回転する際に、空気流入穴２５３Ａの下流側の辺部２５４Ａに集中して空気が当たることが抑制され、通気抵抗の増加が抑制される。また、羽根２５２Ａの高さ方向の全体にわたり、羽根２５２Ａの間を空気が通るようになる。更に、風切音、脈動音の発生が抑制される。そして、羽根車２５Ａの回転数を上げることなく、風量を確保でき、音の発生を抑制できると共に、空気流入穴２５３Ａを通る空気が流れやすくなって、循環換気ファンモータ２６Ａの冷却能力が向上する。
【０１４２】
次に、羽根２５２Ａの形状による作用効果について説明する。浴室換気乾燥暖房機１Ａでは、循環換気吸込口２０Ａから循環換気ファン２Ａに吸い込まれる空気はフィルタを通過する。但し、フィルタで捕捉できない埃等が羽根車２５Ａの羽根２５２Ａに付着する可能性がある。羽根に埃等が付着すると、羽根車が回転することによる遠心力で埃が剥離し、埃の塊が吹出口から落下する可能性がある。また、羽根に埃等が付着すると、羽根の間を通る空気の通気抵抗が増加し、風量が低下する可能性がある。風量の低下を抑制するためには、羽根車の回転数を上げる必要があり、音が大きくなる。
【０１４３】
そこで、羽根車２５Ａの羽根２５２Ａは、図７に示す入口角β１が６０°以上８０°以下、出口角β２が１３０°以上１５０°以下であることが好ましい。入口角β１、出口角β２が上述した範囲であると、羽根２５２Ａへの埃の付着が抑制される。入口角β１が９０°、出口角β２が１６０°の従来の羽根車を使用した構成と比較すると、従来の羽根車における羽根への埃の付着量を１００％とした場合、埃の付着量を３０％〜７０％程度に減少させることができる。
【０１４４】
このように、羽根２５２Ａへの埃等の付着を減少させることができることから、埃が堆積して埃の塊となることを抑制でき、埃の塊が吹出口から落下することが抑制される。また、羽根２５２Ａに付着する埃の量を減少させることができるので、埃の堆積による羽根車２５Ａの重量の増加や、羽根車２５Ａの重心が偏ることを抑制でき、羽根車２５Ａが回転する際の振動や音の発生を抑制できる。更に、羽根２５２Ａの間を通る空気の通気抵抗の増加が抑制され、羽根車２５Ａの回転数を上げることなく、風量を確保でき、音の発生を抑制できる。
【０１４５】
また、入口角β１、出口角β２が上述した範囲であると、循環換気ファンモータ２６Ａの回転数を上げることなく、所定の風量を確保することができ、循環換気ファンモータ２６Ａの回転数を上げることに伴う音の発生を抑制することができる。
【符号の説明】
【０１４６】
１Ａ・・・浴室換気乾燥暖房機（送風装置）、２Ａ・・・循環換気ファン（送風ファン）、２０Ａ・・・循環換気吸込口（吸込口）、２１Ａ・・・第１の吹出口（循環吹出口）、２２Ａ・・・第２の吹出口（循環吹出口）、２３Ａ・・・換気吹出口、２５Ａ・・・羽根車、２５０Ａ・・・羽根部、２５１Ａ・・・羽根支持部、２５２Ａ・・・羽根、２５３Ａ・・・空気流入穴、２５４Ａ・・・辺部、２５５Ａ・・・辺部、２６Ａ・・・循環換気ファンモータ、２６０Ａ・・・モータケース、２７Ａ・・・循環換気ファンケース（ケース部）、２７Ａ１・・・舌部、２７Ａ１１・・・第１の風路形成部、２７Ａ１２・・・第２の風路形成部、２７０Ａ・・・内面、２８・・・吹出風路、２８０Ａ・・・風路幅拡大部、２８１Ａ・・・換気風路形成枠部、２８２Ａ・・・風路高拡大部、３Ａ・・・本体部、３０Ａ・・・本体シャーシ、３１Ａ・・・金属ケース、３２Ａ・・・フランジ部、３３Ａ・・・下カバー、３３０Ａ・・・内面、４Ａ・・・フロントパネル、４０Ａ・・・吸込口グリル、４１Ａ・・・第１の吹出口グリル、４２Ａ・・・第２の吹出口グリル、５Ａ・・・ヒータ、６Ａ・・・分流ダンパ（分流部材）、６０Ａ・・・軸、６１Ａ・・・第１の吹出口開閉部（吹出口開閉部）、６２Ａ・・・第２の吹出口開閉部、６３Ａ・・・逆流防止部、６４Ａ・・・下面（一の面）、６５Ａ・・・上面、６６Ａ・・・流入規制部、６７Ａ・・・分流ガイド面、６１０Ａ・・・先端、１００・・・浴室
【図１】
2019199858.tif 000003
【図２】
2019199858.tif 000004
【図３】
2019199858.tif 000005
【図４Ａ】
2019199858.tif 000006
【図４Ｂ】
2019199858.tif 000007
【図５Ａ】
2019199858.tif 000008
【図５Ｂ】
2019199858.tif 000009
【図５Ｃ】
2019199858.tif 000010
【図５Ｄ】
2019199858.tif 000011
【図５Ｅ】
2019199858.tif 000012
【図５Ｆ】
2019199858.tif 000013
【図６Ａ】
2019199858.tif 000014
【図６Ｂ】
2019199858.tif 000015
【図７】
2019199858.tif 000016
【図８】
2019199858.tif 000017
【図９】
2019199858.tif 000018
【図１０】
2019199858.tif 000019
【図１１】
2019199858.tif 000020
【図１２Ａ】
2019199858.tif 000021
【図１２Ｂ】
2019199858.tif 000022
【図１３】
2019199858.tif 000023